(57)【要約】      （修正有）【課題】ユーザが片手で確実に握ることができ、かつスイッチ部の不用意なスイッチ動作を防ぐ携帯端末を提供する。【解決手段】機器ケース１の一端部として設けられ、ユーザの手により把握可能なグリップ部１４と、このグリップ部１４の裏面に設けられ、ユーザが把握した手の示指Ｆ２と中指Ｆ３との間に位置する第１頭頂部１５ａを有する第１盛上り部１５と、グリップ部１４の裏面に設けられ、ユーザが把握した手の示指Ｆ２を第１頭頂部１５ａとの間に挟む第２頭頂部１６ａを有する第２盛上り部１６と、この第２盛上り部１６の斜面領域である第２指掛領域１６ｂに対応して設けられた下面トリガーキー２０と、を備える。【選択図】図６
2019021848.tif 000002
【特許請求の範囲】
【請求項１】
端末本体の一端部として設けられ、ユーザが一方の手の母指を前記端末本体の第１の面に被せ前記端末本体の脇側から延ばした少なくとも示指と中指とで前記第１の面の裏面に位置する第２の面を支えるような把握態様で、前記一方の手により把握可能なグリップ部を備え、
前記グリップ部のうち前記第２の面には、前記把握態様での前記示指と前記中指との間の位置に第１頭頂部が位置するように第１盛上り部が設けられているとともに、前記把握態様での前記示指を前記第１頭頂部との間に挟む第２頭頂部を有した第２盛上り部が設けられており、
前記第２盛上り部における斜面領域であって前記把握態様での前記示指が位置する側とは反対側の斜面領域に被押圧部が露出するようにスイッチ部が設けられていることを特徴とする携帯端末。
【請求項２】
請求項１に記載の携帯端末において、
前記スイッチ部が対応する斜面領域は、前記第１盛上り部における斜面領域であって前記把握態様での前記示指が位置する側の斜面領域よりも直線的に形成されていることを特徴とする携帯端末。
【請求項３】
請求項１または請求項２に記載された携帯端末において、
前記グリップ部の一部として電池蓋が取り付けられており、
前記電池蓋に前記第１盛上り部と前記第２盛上り部とが設けられていることを特徴とする携帯端末。
【請求項４】
請求項１〜請求項３のいずれかに記載された携帯端末において、
前記第１の面には、ユーザが前記グリップ部を前記把握態様で把握した際に、前記ユーザが把握した手の母指で操作可能な複数のキーが配列された入力操作部が設けられていることを特徴とする携帯端末。
【発明の詳細な説明】
【技術分野】
【０００１】
この発明は、手に持って使用する携帯端末に関する。
【背景技術】
【０００２】
例えば、手に持って使用する携帯端末においては、特許文献１に記載されているように、機器ケースの下面が湾曲形状に形成されていると共に、この機器ケースの下面に指掛突起部を設け、機器ケースの上面にユーザの保持手の母指を配置させ、機器ケースの下面に他の指を配置させて示指を指掛突起部に引っ掛けた状態で、機器ケースを片手で握るように構成されたものが知られている。
【先行技術文献】
【特許文献】
【０００３】
【特許文献１】特開平１０−１１２８９１号公報
【０００４】
すなわち、この種の携帯端末は、機器ケースの上面に設けられた操作部上に母指を配置させ、機器ケースの下面に他の指を配置させて機器ケースを片手で握った状態で、機器ケースの下面に設けられた指掛突起部に示指をピストルの引金に掛けるのと同じように引っ掛けることにより、母指で上面の操作部を操作すると共に、下面の指掛突起部に設けられたスイッチキーを示指でキー操作するように構成されている。
【発明の概要】
【発明が解決しようとする課題】
【０００５】
しかしながら、このような携帯端末では、ユーザの示指を指掛突起部に引っ掛けた際に、示指によってスイッチキーが不用意に動作する恐れがあるため、ユーザが機器ケースを握った際に、示指を指掛突起部に軽く引っ掛ける必要があり、このため機器ケースを片手で確実に握ることが難しいという不都合がある。
【０００６】
この発明が解決しようとする課題は、ユーザが片手で確実に握ることができ、かつスイッチ部の不用意なスイッチ動作を防ぐことができる携帯端末を提供することである。
【課題を解決するための手段】
【０００７】
この発明は、端末本体の一端部として設けられ、ユーザが一方の手の母指を前記端末本体の第１の面に被せ前記端末本体の脇側から延ばした少なくとも示指と中指とで前記第１の面の裏面に位置する第２の面を支えるような把握態様で、前記一方の手により把握可能なグリップ部を備え、前記グリップ部のうち前記第２の面には、前記把握態様での前記示指と前記中指との間の位置に第１頭頂部が位置するように第１盛上り部が設けられているとともに、前記把握態様での前記示指を前記第１頭頂部との間に挟む第２頭頂部を有した第２盛上り部が設けられており、前記第２盛上り部における斜面領域であって前記把握態様での前記示指が位置する側とは反対側の斜面領域に被押圧部が露出するようにスイッチ部が設けられていることを特徴とする携帯端末である。
【発明の効果】
【０００８】
この発明によれば、ユーザが片手で確実に握ることができ、かつスイッチ部の不用意なスイッチ動作を防ぐことができる。
【図面の簡単な説明】
【０００９】
【図１】この発明を携帯端末に適用した一実施形態を示した正面図である。
【図２】図１に示された携帯端末の裏面図である。
【図３】図２に示された携帯端末を左側から見た側面図である。
【図４】図１に示された携帯端末を裏面側から見た斜視図である。
【図５】図４に示された携帯端末のＡ−Ａ矢視における断面を示した斜視図である。
【図６】図４に示された携帯端末のグリップ部をユーザが第１の把握状態で把握した状態を示した斜視図である。
【図７】図４に示された携帯端末のグリップ部をユーザが第２の把握状態で把握した状態を示した斜視図である。
【図８】この発明を携帯端末に適用した変形例において、その裏面側から見た斜視図である。
【発明を実施するための形態】
【００１０】
以下、図１〜図７を参照して、この発明を適用した携帯端末の一実施形態について説明する。
この携帯端末は、図１〜図５に示すように、端末本体である機器ケース１を備えている。この機器ケース１は、縦方向（図１では上下方向）に長い縦長のほぼ長方形状に形成されている。
【００１１】
この機器ケース１は、図１〜図５に示すように、上辺側のほぼ半分が幅広部１ａに形成され、下辺側のほぼ半分が幅狭部１ｂに形成され、全体がほぼ羽子板形状に形成されている。すなわち、上辺側の幅広部１ａは、その縦方向と直交する横方向（図１では左右方向）の長さ（幅）が、下辺側の幅狭部１ｂの横方向（図１では左右方向）の長さ（幅）よりも長く（広く）形成されている。
【００１２】
また、この機器ケース１は、図１〜図５に示すように、上部ケース２と下部ケース３とを有し、これらの内部にモジュール（図示せず）が組み込まれるように構成されている。上部ケース２は、図１および図３に示すように、機器ケース１と同様、上辺側の幅広部と下辺側の幅狭部とを有するほぼ羽子板形状に形成され、その外周の側面部が下部ケース３に取り付けられるように構成されている。
【００１３】
この場合、上部ケース２の上面である表面における上辺側の幅広部には、図１および図５に示すように、そのほぼ全域に亘って表示部４が設けられている。また、上部ケース２の表面における下辺側の幅狭部には、そのほぼ全域に亘ってキー操作部５が設けられている。表示部４は、液晶表示パネルやＥＬ（エレクトロ・ルミネッセンス）表示パネルなどの平面型の表示パネルであり、ほぼ長方形状に形成されている。
【００１４】
この表示部４は、図１および図５に示すように、上部ケース２の表面に設けられた表示窓部４ａに対応した状態で上部ケース２内に配置され、表示された情報が表示窓部４ａを通して上部ケース２の上方から見えるように構成されている。キー操作部５は、テンキー、カーソルキー、ファンクションキーなどの携帯端末に必要な各種のキーを備えている。この場合、キー操作部５は、その上辺の中間部に上面トリガーキー５ａが配置されている。
【００１５】
下部ケース３は、図２〜図４に示すように、上部ケース２と同様、上辺側の幅広部と下辺側の幅狭部とを有するほぼ羽子板形状に形成され、その外周の側面部が上部ケース２に取り付けられるように構成されている。この下部ケース３の上辺部側に位置する幅広部の下面である裏面には、光学読取部６が設けられている。
【００１６】
この光学読取部６は、図２〜図５に示すように、レーザ読取部と撮像部（いずれも図示せず）とを備え、これらが下部ケース３の幅広部における上辺部側に位置する裏面に箱型形状に突出して設けられた読取突起部６ａ内に格納されている。この場合、読取突起部６ａには、レーザ読取部に対応する第１窓部６ｂと、撮像部に対応する第２窓部６ｃと、が設けられている。
【００１７】
これにより、光学読取部６は、図２〜図５に示すように、レーザ読取部がレーザ光線を読取突起部６ａの第１窓部６ｂから機器ケース１の外部に出射させ、そのレーザ光線の反射光を受光することにより、物品のバーコードなどを読み取るように構成されている。また、この光学読取部６は、撮像部が第２窓部６ｃを通してレーザ読取部で読み取る物品の画像を撮影するように構成されている。
【００１８】
また、機器ケース１の縦方向（長手方向）におけるほぼ中間部、つまり幅広部１ａと幅狭部１ｂとの境界部側に位置する幅広部１ａの両側部には、図１〜図５に示すように、側面トリガーキー８がそれぞれ設けられている。これら側面トリガーキー８およびキー操作部５の上面トリガーキー５ａは、光学読取部６による読取動作を実行させるためのものである。
【００１９】
さらに、この機器ケース１の下辺部側に位置する幅狭部１ｂには、図２〜図５に示すように、電池蓋１０で覆われる電池収納部１１がキー操作部５に対応して設けられている。この電池収納部１１は、充電池１２を収納するものであり、機器ケース１の幅狭部１ｂに設けられたキー操作部５に対応した状態で、機器ケース１の幅狭部１ｂの内部に設けられて裏面側に開放されている。
【００２０】
この場合、電池収納部１１と光学読取部６との間に位置する下部ケース３の裏面には、図２および図４に示すように、電池収納部１１を開閉可能に覆う電池蓋１０を下部ケース３に着脱可能に取り付けるための一対の取付レバー１３が設けられている。すなわち、一対の取付レバー１３は、機器ケース１の両側部に設けられた側面トリガーキー８の近傍に設けられている。これら一対の取付レバー１３は、これらを回転操作させて、電池蓋１０の上辺部の縁部を下部ケース３の裏面に係脱可能に係止させるように構成されている。
【００２１】
これにより、電池蓋１０は、図２、図４および図５に示すように、電池収納部１１を開閉可能に覆った状態で、上辺部の縁部が一対の取付レバー１３によって係止されることにより、下部ケース３の裏面に取り付けられるように構成されている。また、この電池蓋１０は、その下辺部側の端部に支点突起部１０ａが設けられ、この支点突起部１０ａを支点として回転することにより、電池収納部１１を開閉するように構成されている。
【００２２】
ところで、機器ケース１の下辺部側に位置する幅狭部１ｂには、図１〜図４に示すように、機器ケース１の第１の面である表面と、その反対側に位置する第２の面である裏面とに跨ってユーザの一方の手により把握可能なグリップ部１４が設けられている。このグリップ部１４は、ユーザの一方の手の母指Ｆ１を機器ケース１の表面に被せ機器ケース１の脇側から延ばした他の指Ｆ２〜Ｆ５で機器ケース１の裏面を支えるような把握態様で、ユーザの一方の手により把握可能に構成されている。
【００２３】
すなわち、このグリップ部１４は、図１〜図４に示すように、機器ケース１の幅狭部１ｂである上部ケース２の幅狭部と、下部ケース３の幅狭部と、下部ケース３の電池蓋１０と、で構成されている。この場合、グリップ部１４における上部ケース２の幅狭部と下部ケース３の幅狭部との各側面部は、ユーザがグリップ部１４を上述した把握態様で把握する手を自然に湾曲させる円弧状の湾曲面に形成されている。また、下部ケース３の電池蓋１０は、下部ケース３の両側部から裏面側に向けて緩やかに湾曲して突出する湾曲形状に形成されている。
【００２４】
これにより、グリップ部１４は、図１〜図４に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様のときに、ユーザの他の指Ｆ２〜Ｆ５が機器ケース１の裏面に自然に曲がって巻き付くような形状に形成されている。
【００２５】
このため、グリップ部１４は、図１〜図４に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様で、ユーザが一方の手で機器ケース１を保持した際に、ユーザの把握手がフィットすることにより、ユーザの手の大きさに係わらず、ユーザが片手で握り易い形状に形成されている。
【００２６】
また、このグリップ部１４のうち、裏面に位置する電池蓋１０には、図２〜図７に示すように、ユーザが母指Ｆ１を機器ケース１の表面に被せ機器ケース１の脇側から延ばした他の指Ｆ２〜Ｆ５で機器ケース１の裏面を支えるような把握態様で、ユーザが一方の手でグリップ部１４を把握する際に、ユーザが把握する手の示指Ｆ２と中指Ｆ３との間に位置する第１盛上り部１５と、上述した把握態様でのユーザが把握する手の示指Ｆ２を第１盛上り部１５との間に挟む第２盛上り部１６と、が設けられている。
【００２７】
これにより、グリップ部１４は、図６および図７に示すように、上述した把握態様で、ユーザが一方の手でグリップ部１４を把握する際に、ユーザの把握手の示指Ｆ２と中指Ｆ３との間に第１盛上り部１５の第１頭頂部１５ａが配置される標準的な第１の握り方（図６参照）と、ユーザの把握手の示指Ｆ２と中指Ｆ３との間に第２盛上り部１６の第２頭頂部１６ａが配置されるスイッチ操作用の第２の握り方（図７参照）との２通りの握り方で握れるように構成されている。
【００２８】
すなわち、第１の握り方は、図６に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様で、ユーザが一方の手でグリップ部１４を把握する際に、ユーザが把握する手の示指Ｆ２が第１盛上り部１５の第１頭頂部１５ａと第２盛上り部１６の第２頭頂部１６ａとの間に挟まれて示指Ｆ２と中指Ｆ３との間に第１盛上り部１５の第１頭頂部１５ａが配置される握り方である。
【００２９】
また、第２の握り方は、図７に示すように、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様で、ユーザが一方の手でグリップ部１４を把握する際に、ユーザが把握する手の中指Ｆ３が第１盛上り部１５の第１頭頂部１５ａと第２盛上り部１６の第２頭頂部１６ａとの間に挟まれて示指Ｆ２と中指Ｆ３との間に第２盛上り部１６の第２頭頂部１６ａが配置される握り方である。
【００３０】
この場合、第２盛上り部１６は、図２〜図５に示すように、上述したスイッチ操作用の第２の握り方でユーザが一方の手でグリップ部１４を把握する際に、ユーザが把握した手の示指Ｆ２と中指Ｆ３との間に位置する山形状の第２頭頂部１６ａを有している。この第２頭頂部１６ａは、ユーザが把握する手の示指Ｆ２と中指Ｆ３との間に位置して、示指Ｆ２と中指Ｆ３との屈曲形状に沿って湾曲状に連続するように形成されている。
【００３１】
すなわち、この第２頭頂部１６ａは、図２〜図７に示すように、機器ケース１の長手方向と直交する横方向に示指Ｆ２と中指Ｆ３との屈曲形状に沿って湾曲状に連続すると共に、その連続する横方向における中間部が機器ケース１の裏面側に向けて最も大きく突出し、横方向の中間部から横方向の両側に向かうに従って次第に突出長さが小さくなるように形成されている。また、この第２盛上り部１６は、第２頭頂部１６ａを境にして、一方側の裾野である第２指掛領域１６ｂと、他方側の裾野である第２指載領域１６ｃと、を備えている。
【００３２】
第２指掛領域１６ｂは、図２〜図７に示すように、ユーザが上述した第２の握り方でグリップ部１４を把握した際に、示指Ｆ２が押し当てられる斜面であり、電池蓋１０の上辺部側から第２頭頂部１６ａに向けて急な傾斜面に形成されている。この第２指載領域１６ｃは、ユーザが上述した第２の握り方でグリップ部１４を把握した際に、中指Ｆ３が押し当てられる斜面であり、第２頭頂部１６ａから第１盛上り部１５の下部に向けて緩やかに傾斜する傾斜面に形成されている。
【００３３】
すなわち、この第２指掛領域１６ｂは、図２〜図７に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような第２の握り方のときに、ユーザが把握する手の示指Ｆ２の腹が電池蓋１０の縦方向（長手方向）における下辺部側、つまりユーザが把握する手側に向けて押し当てられて配置されるような傾斜面に形成されている。
【００３４】
この第２指掛領域１６ｂは、図２〜図７に示すように、電池蓋１０の上辺側に位置する上辺部から第２頭頂部１６ａに向けて急な角度で立ち上る傾斜面に形成されている。また、この第２指掛領域１６ｂは、機器ケース１の縦方向（長手方向）と直交する横方向に連続する第２頭頂部１６ａに沿って示指Ｆ２の屈曲状態に対応する円弧状に湾曲して形成されている。
【００３５】
このため、この第２盛上り部１６は、図２〜図７に示すように、ユーザがスイッチ操作用の第２の握り方でグリップ部１４を握った際に、ユーザの示指Ｆ２が第２指掛領域１６ｂの湾曲に沿って屈曲した形状で、その示指Ｆ２の腹が第２指掛領域１６ｂに押し当てられ、この状態で第２指掛領域１６ｂを機器ケース１の縦方向における下辺部側、つまりユーザが把握する手側に向けて引き寄せるように構成されている。
【００３６】
また、第２指載領域１６ｃは、図２〜図７に示すように、ユーザがスイッチ操作用の第２の握り方でグリップ部１４を把握するときに、ユーザが把握する手の中指Ｆ３の側部を載置して中指Ｆ３の腹が後述する第１盛上り部１５の第１指掛領域１５ｂに押し当てられた状態で自然に曲がるような湾曲面に形成されている。
【００３７】
すなわち、この第２指載領域１６ｃは、図２〜図７に示すように、第２頭頂部１６ａから電池蓋１０の下辺側に向けて緩やかに傾斜する湾曲面に形成されている。これにより、この第２指載領域１６ｃは、ユーザが第２の握り方でグリップ部１４を把握するときに、中指Ｆ３が自然な状態で曲がるように、電池蓋１０の裏面側に向けて凸となる緩やかな湾曲形状に形成されている。
【００３８】
一方、第１盛上り部１５は、図２〜図７に示すように、上述した標準的な第１の握り方でユーザが一方の手でグリップ部１４を把握する際に、ユーザが把握した手の示指Ｆ２と中指Ｆ３との間に位置する山形状の第１頭頂部１５ａを有している。この第１頭頂部１５ａは、ユーザが把握する手の示指Ｆ２と中指Ｆ３との間に位置して、示指Ｆ２と中指Ｆ３との屈曲形状に沿って湾曲状に連続するように形成されている。
【００３９】
すなわち、この第１頭頂部１５ａは、図２〜図７に示すように、機器ケース１の長手方向と直交する横方向に示指Ｆ２と中指Ｆ３との屈曲形状に沿って湾曲状に連続すると共に、その連続する横方向における中間部が機器ケース１の裏面側に向けて最も大きく突出し、横方向の中間部から横方向の両側に向かうに従って次第に突出長さが小さくなるように形成されている。また、この第１盛上り部１５は、第１頭頂部１５ａを境にして、一方側の裾野である第１指掛領域１５ｂと、他方側の裾野である第１指載領域１５ｃと、を備えている。
【００４０】
第１指掛領域１５ｂは、図２〜図７に示すように、ユーザが上述した第１の握り方でグリップ部１４を把握した際に、示指Ｆ２が押し当てられる斜面であり、第２盛上り部１６の第２指載領域１６ｃの下辺部から第１頭頂部１５ａに向けて急な傾斜面に形成されている。第１指載領域１５ｃは、ユーザが上述した第１の握り方でグリップ部１４を把握した際に、他の指Ｆ３〜Ｆ５が押し当てられる斜面であり、第１頭頂部１５ａから電池蓋１０の下辺部に向けて緩やかに傾斜する傾斜面に形成されている。
【００４１】
すなわち、第１指掛領域１５ｂは、図２〜図７に示すように、ユーザが第１の握り方でグリップ部１４を握った際に、ユーザが把握する手の示指Ｆ２の腹が電池蓋１０の縦方向（長手方向）における下辺部側、つまりユーザが把握する手側に向けて押し当てられて配置されるような傾斜面に形成されている。
【００４２】
この第１指掛領域１５ｂは、図２〜図７に示すように、電池蓋１０の上辺側に位置する第２盛上り部１６の第２指掛領域１６ｂの下辺部から第１頭頂部１５ａに向けて急な角度で立ち上る傾斜面に形成されている。また、この第１指掛領域１５ｂは、機器ケース１の縦方向（長手方向）と直交する横方向に連続する第１頭頂部１５ａに沿って示指Ｆ２の屈曲状態に対応する円弧状に湾曲して形成されている。
【００４３】
このため、この第１盛上り部１５は、図２〜図７に示すように、ユーザが標準的な第１の握り方でグリップ部１４を握った際に、ユーザの示指Ｆ２が第１指掛領域１５ｂの湾曲に沿って屈曲した形状で、その示指Ｆ２の腹が第１指掛領域１５ｂに押し当てられ、この状態で第１指掛領域１５ｂを機器ケース１の縦方向における下辺部側、つまりユーザが把握する手側に向けて引き寄せるように構成されている。
【００４４】
また、第１指載領域１５ｃは、図２〜図７に示すように、ユーザが標準的な第１の握り方でグリップ部１４を把握する際に、ユーザが把握する手の他の指Ｆ３〜Ｆ５の各腹がグリップ部１４の電池蓋１０を機器ケース１に向けて押し当てられて、ユーザの中指Ｆ３〜小指Ｆ５が並んだ状態で自然に曲がるような湾曲面に形成されている。
【００４５】
すなわち、この第１指載領域１５ｃは、図２〜図７に示すように、第１頭頂部１５ａから電池蓋１０の下辺側に向けて緩やかに傾斜する湾曲面に形成されている。これにより、この第１指載領域１５ｃは、ユーザが第１の握り方でグリップ部１４を把握するときに、示指Ｆ２以外の指Ｆ３〜Ｆ５が並んで自然な状態で曲がるように、電池蓋１０の裏面側に向けて凸となる緩やかな湾曲形状に形成されている。
【００４６】
さらに、この機器ケース１は、図１〜図７に示すように、グリップ部１４が機器ケース１の横方向における中心位置を軸にして左右対称な形状で形成されている。これにより、この機器ケース１は、ユーザがグリップ部１４を握る際に、ユーザが右手でも、また左手でも、同じように握れるように構成されている。
【００４７】
ところで、電池蓋１０の上辺部に設けられた第２盛上り部１６の第２指掛領域１６ｂは、図５に示すように、下部ケース３に設けられた蓋保持部１８の裏面に配置されて保持されるように構成されている。すなわち、この蓋保持部１８は、第２指掛領域１６ｂとほぼ同じ形状に盛り上がって形成されている。この蓋保持部１８の内部には、下面トリガーキー２０が第２指掛領域１６ｂに対応して設けられている。
【００４８】
この下面トリガーキー２０は、図５に示すように、キー操作部５の上面トリガーキー５ａおよび側面トリガーキー８と同様、光学読取部６による読取動作を実行させるためのものである。この下面トリガーキー２０は、スイッチ本体２０ａと操作釦２０ｂとスイッチ保持部２０ｃとを備えている。
【００４９】
すなわち、この下面トリガーキー２０のスイッチ保持部２０ｃは、図５に示すように、第２盛上り部１６に対応する蓋保持部１８内に配置された状態で、蓋保持部１８の内面に取り付けられている。スイッチ本体２０ａは、第２盛上り部１６における第２指掛領域１６ｂの傾斜面と平行に傾斜した状態で、スイッチ保持部２０ｃに保持され、この状態で機器ケース１の幅広部１ａ内に設けられた回路基板２２と電気的に接続されるように構成されている。
【００５０】
操作釦２０ｂは、図５に示すように、被押圧部であり、第２指掛領域１６ｂの傾斜面と平行に傾斜した状態で、スイッチ本体２０ａに配置され、蓋保持部１８に設けられた釦孔１８ａを通して、電池蓋１０の第２指掛領域１６ｂに設けられた釦挿入孔１７内に配置されている。これにより、操作釦２０ｂは、機器ケース１の外部から押圧操作された際に、スイッチ本体２０ａをオン動作させるように構成されている。この場合、操作釦２０ｂは、第２指掛領域１６ｂの釦挿入孔１７内に窪んで配置されていることが望ましい。
【００５１】
このため、下面トリガーキー２０は、図７に示すように、ユーザがグリップ部１４をスイッチ操作用の第２の握り方で把握した際に、ユーザが把握する手の示指Ｆ２が屈曲した形状で示指Ｆ２の腹が第２盛上り部１６の第２指掛領域１６ｂにその湾曲に沿って押し当てられ、この状態で第２盛上り部１６を機器ケース１の下辺部側つまりユーザが把握する手側に向けて引き寄せても、操作釦２０ｂが示指Ｆ２の腹で押し込まれることがなく、スイッチ本体２０ａがオン動作しないように構成されている。
【００５２】
また、この下面トリガーキー２０は、図７に示すように、ユーザがグリップ部１４を第１の握り方で把握し、ユーザが把握する手の示指Ｆ２の腹が第２指掛領域１６ｂにその湾曲に沿って押し当てられた状態で、示指Ｆ２の腹が第２盛上り部１６を機器ケース１の下辺部側つまりユーザが把握する手側に向けて引き寄せて、示指Ｆ２の腹が釦挿入孔１７に強く押し込まれると、操作釦２０ｂが示指Ｆ２の腹によって押し込まれてスイッチ本体２０ａがオン動作するように構成されている。
【００５３】
次に、このような携帯端末の作用について説明する。
この携帯端末を使用する場合には、まず、機器ケース１の裏面に電池蓋１０を取り付けて、機器ケース１の幅狭部１ｂに設けられた電池収納部１１を覆う。このときには、電池蓋１０の下辺部側の端部を電池収納部１１の下辺側の内周部に装着させ、この装着された電池蓋１０の端部の支点突起部１０ａを支点として、電池蓋１０を回転させて電池蓋１０の上辺部を下部ケース３の蓋保持部１８上に配置させる。
【００５４】
すると、電池蓋１０の第２盛上り部１６における第２指掛領域１６ｂに設けられた釦挿入孔１７が蓋保持部１８の釦孔１８ａに対応し、この釦孔１８ａを通して下面トリガーキー２０の操作釦２０ｂが電池蓋１０の第２指掛領域１６ｂに設けられた釦挿入孔１７に挿入される。この場合、操作釦２０ｂは、機器ケース１の外部に突出しない状態で第２指掛領域１６ｂの釦挿入孔１７内に配置される。
【００５５】
また、このときには、電池蓋１０の上辺部の縁部が、下部ケース３の裏面に設けられた一対の取付レバー１３に対応する。このため、これら一対の取付レバー１３を回転操作させることにより、一対の取付レバー１３によって電池蓋１０の上辺部の縁部が下部ケース３の裏面に押し付けられて係止される。これにより、電池蓋１０が、下面トリガーキー２０を超えた状態で、電池収納部１１を覆って下部ケース３の裏面に取り付けられる。
【００５６】
このような携帯端末を標準的な第１の握り方で握る場合には、図６に示すように、電池蓋１０が位置する箇所のグリップ部１４をユーザが一方の手で握って機器ケース１を保持する。すなわち、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、示指Ｆ２と中指Ｆ３との間に第１盛上り部１５の第１頭頂部１５ａを配置させて、ユーザが一方の手でグリップ部１４を把握する。
【００５７】
このときには、母指Ｆ１が機器ケース１の表面のキー操作部５上に配置され、ユーザが把握する手の示指Ｆ２と中指Ｆ３との間に機器ケース１の裏面側に位置する電池蓋１０の第１盛上り部１５の第１頭頂部１５ａが配置され、この状態で示指Ｆ２の腹が第１盛上り部１５の第１指掛領域１５ｂに押し当てられ、他の指Ｆ３〜Ｆ５の各腹が第１盛上り部１５の第１指載領域１５ｃ上に並んで配置される。
【００５８】
この状態で、ユーザが把握する手の示指Ｆ２の腹を第１盛上り部１５の第１指掛領域１５ｂの傾斜面に押し当て、この状態で第１指掛領域１５ｂを機器ケース１の下辺部側つまりユーザが把握する手側に向けて引き寄せると、示指Ｆ２が第１指掛領域１５ｂにその湾曲に沿って自然な状態で屈曲して押し当てられる。
【００５９】
また、このときには、ユーザが把握する手の他の指Ｆ３〜Ｆ５の各腹が第１盛上り部１５の第１指載領域１５ｃ上に並んで配置され、これらの指Ｆ３〜Ｆ５の各腹が第１指載領域１５ｃを機器ケース１に向けて押し当てられる。この状態では、指Ｆ３〜Ｆ５が第１指載領域１５ｃの湾曲面に沿って自然に曲がった状態で並んで配置される。
【００６０】
これにより、ユーザが把握する手の中指Ｆ３〜小指Ｆ５が第１盛上り部１５の第１指載領域１５ｃを包み込むように自然に曲がった状態で、第１指載領域１５ｃ上に並んで配置される。このため、指Ｆ３〜Ｆ５が第１指載領域１５ｃにその湾曲面に沿って安定した状態で良好に配置される。これによって、ユーザが片手で機器ケース１のグリップ部１４を確実にかつ良好に把握することができる。
【００６１】
このように、ユーザが機器ケース１のグリップ部１４を標準的な第１の握り方で握った際には、グリップ部１４が機器ケース１の幅狭部１ｂに設けられ、かつグリップ部１４の両側部から裏面側に向けて緩やかに湾曲して突出する湾曲形状に形成されていることにより、ユーザが把握する手で機器ケース１のグリップ部１４を確実にかつ良好に握ることができると共に、ユーザが把握する手をグリップ部１４にフィットさせることができる。
【００６２】
また、ユーザが機器ケース１のグリップ部１４を標準的な第１の握り方で握る際には、グリップ部１４が機器ケース１の横方向における中心位置を軸にして左右対称な形状に形成されていることにより、ユーザが右手でも、また左手でも、機器ケース１のグリップ部１４を確実にかつ良好に握ることができる。この場合にも、グリップ部１４の下面側が緩やかに湾曲して突出する湾曲形状に形成されていることにより、ユーザがグリップ部１４を一方の手で握った際に、ユーザの把握手がグリップ部１４にフィットする。
【００６３】
このようにユーザが機器ケース１のグリップ部１４を標準的な第１の握り方で握った際には、母指Ｆ１が表示部４を遮ることなくキー操作部５上に配置されるので、表示部４に表示された情報を見ながら、母指Ｆ１をキー操作部５上において自由に移動させて、キー操作部５を良好にキー操作することができる。
【００６４】
また、このようにユーザが機器ケース１のグリップ部１４を標準的な第１の握り方で握った際には、ユーザの把握手の示指Ｆ２が第１盛上り部１５の第１指掛領域１５ｂに配置されているので、第２盛上り部１６の第２指掛領域１６ｂに対応して設けられた下面トリガーキー２０を誤操作することがない。
【００６５】
一方、このような携帯端末をスイッチ操作用の第２の握り方で握る場合には、図７に示すように、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の示指Ｆ２と中指Ｆ３との間に第２盛上り部１６の第２頭頂部１６ａを配置させて、ユーザが一方の手でグリップ部１４を把握する。
【００６６】
このときには、母指Ｆ１が機器ケース１の表面のキー操作部５上に配置され、ユーザが把握する手の示指Ｆ２と中指Ｆ３との間に第２盛上り部１６の第２頭頂部１６ａが配置され、この状態で示指Ｆ２の腹が第２盛上り部１６の第２指掛領域１６ｂに押し当てられ、中指Ｆ３が第２指載領域１６ｃに配置されて、第２盛上り部１６の第２頭頂部１６ａと第１盛上り部１５の第１頭頂部１５ａとの間に挟まれる。
【００６７】
すなわち、ユーザの示指Ｆ２の腹が第２盛上り部１６の第２指掛領域１６ｂに押し当てられた際には、中指Ｆ３の腹が第２指載領域１６ｃに配置された状態で第１盛上り部１５の第１指掛領域１５ｂに押し当てられ、他の薬指Ｆ４と小指Ｆ５の各腹が第１盛上り部１５の第２指載領域１６ｃ上に並んで配置される。
【００６８】
この状態では、ユーザがキー操作部５を母指Ｆ１で操作すべく、ユーザが母指Ｆ１をキー操作部５に被せ機器ケース１の脇側から延ばした他の指Ｆ２〜Ｆ５で機器ケース１の裏面を支えるような把握態様で、ユーザが把握する手の示指Ｆ２の腹を第２盛上り部１６の第２指掛領域１６ｂの傾斜面に押し当てると共に、中指Ｆ３の腹を第１盛上り部１５の第１指掛領域１５ｂの傾斜面に押し当てる。
【００６９】
この状態で、ユーザが把握する手の示指Ｆ２で第２指掛領域１６ｂを機器ケース１の下辺部側つまりユーザが把握する手側に向けて引き寄せると共に、ユーザが把握手の中指Ｆ３で第１盛上り部１５の第１指掛領域１５ｂを機器ケース１の下辺部側つまりユーザが把握する手側に向けて引き寄せる。
【００７０】
すると、示指Ｆ２が第２指掛領域１６ｂにその湾曲に沿って自然な状態で屈曲して押し当てられるので、機器ケース１が示指Ｆ２によってその下辺部側に位置するユーザの把握手側に向けて引き寄せられる。また、このときには、中指Ｆ３が第１指掛領域１５ｂにその湾曲に沿って自然な状態で屈曲して押し当てられるので、機器ケース１が中指Ｆ３によってその下辺部側に位置するユーザの把握手側に向けて引き寄せられる。
【００７１】
このように、ユーザが把握する手の示指Ｆ２が第１の指掛領域１５ｂにその湾曲に沿って屈曲した形状で押し当てられても、示指Ｆ２の腹が第２指掛領域１６ｂの釦挿入孔１７に深く食い込むことがない。このため、操作釦２０ｂが示指Ｆ２の腹によって押し込まれることがないので、下面トリガーキー２０のスイッチ本体２０ａがオン動作することがない。
【００７２】
また、このときには、ユーザが把握する手の他の薬指Ｆ４と小指Ｆ５との各腹が第１盛上り部１５の第１指載領域１５ｃ上に並んで配置された状態で、これらの薬指Ｆ４と小指Ｆ５とが第１指載領域１５ｃに押し当てられると、薬指Ｆ４と小指Ｆ５との各腹が第１指載領域１５ｃの湾曲面に沿って安定した状態で良好に配置されて押し付けられる。これにより、ユーザが片手でグリップ部１４を第２の握り方で確実にかつ良好に把握することができる。
【００７３】
このように、ユーザが機器ケース１のグリップ部１４を第２の握り方で握った際には、グリップ部１４が機器ケース１の幅狭部１ｂに設けられ、かつグリップ部１４の両側部から裏面側に向けて緩やかに湾曲して突出する湾曲形状に形成されていることにより、ユーザが把握する手で機器ケース１のグリップ部１４を確実にかつ良好に握ることができると共に、ユーザが把握する手をグリップ部１４にフィットさせることができる。
【００７４】
また、ユーザが機器ケース１のグリップ部１４を第２の握り方で握る際には、グリップ部１４が機器ケース１の横方向における中心位置を軸にして左右対称な形状に形成されていることにより、ユーザが右手でも、また左手でも、機器ケース１のグリップ部１４を確実にかつ良好に握ることができる。この場合にも、グリップ部１４の下面側が緩やかに湾曲して突出する湾曲形状に形成されていることにより、ユーザがグリップ部１４を一方の手で握った際に、ユーザの把握手がグリップ部１４にフィットする。
【００７５】
このようにユーザが機器ケース１のグリップ部１４をスイッチ操作用の第２の握り方で握った際には、母指Ｆ１が表示部４を遮ることなくキー操作部５上に配置されるので、表示部４に表示された情報を見ながら、母指Ｆ１をキー操作部５上において自由に移動させて、キー操作部５を良好にキー操作することができる。
【００７６】
また、このようにユーザが機器ケース１のグリップ部１４をスイッチ操作用の第２の握り方で握った際には、示指Ｆ２の腹が第２盛上り部１６の第２指掛領域１６ｂの傾斜面に配置されるので、この第２指掛領域１６ｂの傾斜面に設けられた釦挿入孔１７に挿入された下面トリガーキー２０の操作釦２０ｂを示指Ｆ２で容易に操作することができる。
【００７７】
すなわち、ユーザが機器ケース１のグリップ部１４を第２の握り方で握った際には、ユーザが把握する手の示指Ｆ２が屈曲した形状で、その示指Ｆ２の腹が第２指掛領域１６ｂにその湾曲に沿って押し当てられて、第２指掛領域１６ｂを機器ケース１の下辺部側つまりユーザが把握する手側に向けて引き寄せた状態で、示指Ｆ２の腹を釦挿入孔１７に強く押し込むと、下面トリガーキー２０の操作釦２０ｂが示指Ｆ２の腹によって押し込まれて、下面トリガーキー２０のスイッチ本体２０ａをオン動作させる。
【００７８】
このように、下面トリガーキー２０がオン動作すると、機器ケース１の幅広部１ａの裏面に設けられた光学読取部６が駆動されて、レーザ読取部がレーザ光線を読取突起部６ａの第１窓部６ｂから機器ケース１の外部に出射させ、そのレーザ光線の反射光を受光することにより、物品のバーコードなどを読み取る。また、このときには、光学読取部６の撮像部が第２窓部６ｃを通してレーザ読取部で読み取る物品の画像を撮影する。
【００７９】
このように、この携帯端末によれば、端末本体である機器ケース１の一端部に設けられ、ユーザが一方の手の母指Ｆ１を機器ケース１の表面に被せ機器ケース１の脇側から延ばした少なくとも示指Ｆ２と中指Ｆ３とで裏面を支えるような把握態様で、ユーザが一方の手により把握可能なグリップ部１４を備えていることにより、ユーザが一方の手でグリップ部１４を良好に把握することができる。
【００８０】
すなわち、この携帯端末では、ユーザの他の指Ｆ２〜Ｆ５が機器ケース１の裏面に自然に曲がって巻き付くような形状に形成されているので、ユーザがキー操作部５を母指Ｆ１で操作すべく、機器ケース１の表面にユーザが母指Ｆ１を被せ機器ケース１の脇側から延ばした他の指Ｆ２〜Ｆ５で機器ケース１の裏面を支えるような把握態様で、ユーザが一方の手で機器ケース１を保持する際に、ユーザが把握する手をグリップ部１４に自然な状態で曲げて巻き付くように配置させることができ、これによりユーザが握り易く、ユーザの把握手がグリップ部１４にフィットさせることができる。
【００８１】
また、この携帯端末では、グリップ部１４の裏面に、上述した把握態様での示指Ｆ２と中指Ｆ３との間の位置に第１頭頂部１５ａが位置するように第１盛上り部１５が設けられていると共に、前記把握態様での示指Ｆ２を第１頭頂部１５ａとの間に挟む第２頭頂部１６ａを有した第２盛上り部１６が設けられていることにより、示指Ｆ２と中指Ｆ３との間の位置に第１盛上り部１５の第１頭頂部１５ａが配置する標準的な第１の握り方と、示指Ｆ２と中指Ｆ３との間の位置に第２盛上り部１６の第２頭頂部１６ａが配置されるスイッチ操作用の第２の握り方との２種類の握り方ができる。
【００８２】
すなわち、この携帯端末では、ユーザがグリップ部１４を標準的な第１の握り方で握る際に、ユーザが把握した手の示指Ｆ２と中指Ｆ３との間に第１盛上り部１５の第１頭頂部１５ａを配置させて、示指Ｆ２を第２盛上り部１６の第２頭頂部１６ａと第１盛上り部１５の第１頭頂部１５ａとの間に挟んで良好に握ることができる。
【００８３】
また、この携帯端末では、ユーザがグリップ部１４をスイッチ操作用の第２の握り方で握る際に、ユーザが把握した手の示指Ｆ２と中指Ｆ３との間に第２盛上り部１６の第２頭頂部１６ａを配置させて、中指Ｆ３を第２盛上り部１６の第２頭頂部１６ａと第１盛上り部１５の第１頭頂部１５ａとの間に挟んで良好に握ることができる。
【００８４】
さらに、この携帯端末では、第２盛上り部１６における第２指掛領域１６ｂの斜面領域であって第１の握り方の把握態様での示指Ｆ２が位置する側とは反対側の斜面領域の第２指掛領域１６ｂに被押圧部である操作釦２０ｂが露出するように下面トリガーキー２０が設けられていることにより、ユーザがグリップ部１４を標準的な第１の握り方で握った際に、下面トリガーキー２０を操作することができず、ユーザがグリップ部１４を第２の握り方で握った際に、下面トリガーキー２０を良好にスイッチ動作させることができる。
【００８５】
すなわち、この携帯端末では、ユーザが手でグリップ部１４を標準的な第１の握り方で握った際に、ユーザが把握した手の示指Ｆ２が下面トリガーキー２０に対応して配置されることがないので、下面トリガーキー２０の不用意なスイッチ動作を防ぐことができる。また、ユーザが手でグリップ部１４を第２の握り方で握った際に、ユーザが把握した手の示指Ｆ２を下面トリガーキー２０に対応させて配置させることができるので、下面トリガーキー２０をユーザの示指Ｆ２で容易にかつ確実にスイッチ動作させることができる。
【００８６】
この場合、第２盛上り部１６と第１盛上り部１５とは、ユーザが把握した手の示指Ｆ２または中指Ｆ３の自然な曲がりに対応する湾曲面に形成されているので、ユーザがグリップ部１４を第１の握り方と第２の握り方とのいずれの握り方で把握した際にも、ユーザが把握した手の示指Ｆ２または中指Ｆ３を第２盛上り部１６の湾曲面に沿って良好に屈曲させて配置させることができると共に、ユーザが把握した手の示指Ｆ２を第１盛上り部１５の湾曲面に沿って良好に屈曲させて配置させることができる。
【００８７】
また、この携帯端末では、下面トリガーキー２０が第２盛上り部１６の第２指掛領域１６ｂの湾曲面に対応して配置されているので、ユーザが把握した手の示指Ｆ２を第２盛上り部１６の第２指掛領域１６ｂの湾曲面に沿って良好に屈曲させて配置させた状態で、示指Ｆ２の腹を第２指掛領域１６ｂに強く押し当てることにより、下面トリガーキー２０を確実にかつ良好にスイッチ操作させることができる。
【００８８】
また、この携帯端末では、グリップ部１４の一部として電池蓋１０が取り付けられており、この電池蓋１０に第２盛上り部１６と第１盛上り部１５とが設けられていることにより、第２盛上り部１６と第１盛上り部１５とを電池蓋１０と共に容易に製作することができ、これにより機器ケース１の形状が簡単なり、機器ケース１を容易に製作することができる。
【００８９】
また、この携帯端末では、グリップ部１４の表面に、ユーザがグリップ部１４を第１の握り方と第２の握り方とのいずれの握り方で握っても、ユーザが把握した手の母指Ｆ１で操作可能な複数のキーが配列された入力操作部であるキー操作部５が設けられていることにより、ユーザがグリップ部１４を把握した状態で、その把握手の母指Ｆ１によってキー操作部５を良好にキー操作することができ、これにより情報を良好に入力することができる。
【００９０】
また、この携帯端末では、グリップ部１４の延長上に位置する機器ケース１の表面に情報を表示する表示部４が設けられていることにより、ユーザがグリップ部１４を第１の握り方と第２の握り方とのいずれの握り方で握っても、母指Ｆ１が表示部４を遮ることなくキー操作部５上に配置されるので、表示部４に表示された情報を良好に見ることができると共に、この表示部４に表示された情報を見ながら、母指Ｆ１をキー操作部５上において自由に移動させて、キー操作部５を良好にキー操作することができる。
【００９１】
さらに、この携帯端末によれば、グリップ部１４の延長上に位置する機器ケース１の裏面に情報を光学的に読み取る光学読取部６が設けられていることにより、ユーザがグリップ部１４を第２の握り方で握った際に、示指Ｆ２で下面トリガーキー２０を押圧させてオン動作させた際に、光学読取部６を駆動させてレーザ読取部によって物品のバーコードなどを良好に読み取ることができると共に、光学読取部６の撮像部によってレーザ読取部で読み取る物品の画像を良好に撮影することができる。
【００９２】
なお、上述した実施形態では、グリップ部１４の裏面に位置する電池蓋１０に設けられた第１盛上り部１５の第１指掛領域１５ｂと第２盛上り部１６の第２指掛領域１６ｂとをユーザが把握した手の示指Ｆ２または中指Ｆ３の自然な曲がりに対応する湾曲面に形成した場合について述べたが、この発明は、これに限らず、例えば、図８に示す変形例のように形成しても良い。
【００９３】
すなわち、図８に示された変形例では、下面トリガーキー２０が対応する第２盛上り部１６の斜面領域である第２指掛領域２６が、第１盛上り部１５の斜面領域である第１指掛領域２５であって標準的な第１の握り方の把握態様での示指Ｆ２が位置する側の斜面領域である第１指掛領域２５よりも直線的に形成されている。このように第２盛上り部１６の第２指掛領域２６を直線的に形成しても、上述した実施形態とほぼ同様の作用効果ある。
【００９４】
また、上述した実施形態では、機器ケース１の表面に表示部４とキー操作部５とを設けた場合について述べたが、この発明はこれに限らず、例えばキー操作部を透明なタッチパネルで形成して表示パネルを積層させた入力表示部であっても良い。
【００９５】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００９６】
（付記）
請求項１に記載の発明は、端末本体の一端部として設けられ、ユーザが一方の手の母指を前記端末本体の第１の面に被せ前記端末本体の脇側から延ばした少なくとも示指と中指とで前記第１の面の裏面に位置する第２の面を支えるような把握態様で、前記一方の手により把握可能なグリップ部を備え、前記グリップ部のうち前記第２の面には、前記把握態様での前記示指と前記中指との間の位置に第１頭頂部が位置するように第１盛上り部が設けられているとともに、前記把握態様での前記示指を前記第１頭頂部との間に挟む第２頭頂部を有した第２盛上り部が設けられており、前記第２盛上り部における斜面領域であって前記把握態様での前記示指が位置する側とは反対側の斜面領域に被押圧部が露出するようにスイッチ部が設けられていることを特徴とする携帯端末である。
【００９７】
請求項２に記載の発明は、請求項１に記載の携帯端末において、前記スイッチ部が対応する斜面領域は、前記第１盛上り部における斜面領域であって前記把握態様での前記示指が位置する側の斜面領域よりも直線的に形成されていることを特徴とする携帯端末である。
【００９８】
請求項３に記載の発明は、請求項１または請求項２に記載された携帯端末において、前記グリップ部の一部として電池蓋が取り付けられており、前記電池蓋に前記第１盛上り部と前記第２盛上り部とが設けられていることを特徴とする携帯端末である。
【００９９】
請求項４に記載の発明は、請求項１〜請求項３のいずれかに記載された携帯端末において、前記第１の面には、ユーザが前記グリップ部を前記把握態様で把握した際に、前記ユーザが把握した手の母指で操作可能な複数のキーが配列された入力操作部が設けられていることを特徴とする携帯端末である。
【符号の説明】
【０１００】
１  機器ケース
２  上部ケース
３  下部ケース
４  表示部
５  キー操作部
６  光学読取部
１０  電池蓋
１１  電池収納部
１３  取付レバー
１４  グリップ部
１５  第１盛上り部
１５ａ  第１頭頂部
１５ｂ、２５  第１指掛領域
１５ｃ  第１指載領域
１６  第２盛上り部
１６ａ  第２頭頂部
１６ｂ、２６  第２指掛領域
１６ｃ  第２指載領域
１７  釦挿入孔
１８  蓋保持部
１８ａ  釦孔
２０  下面トリガーキー
２０ａ  スイッチ本体
２０ｂ  操作釦
２０ｃ  スイッチ保持部
【図１】
2019021848.tif 000003
【図２】
2019021848.tif 000004
【図３】
2019021848.tif 000005
【図４】
2019021848.tif 000006
【図５】
2019021848.tif 000007
【図６】
2019021848.tif 000008
【図７】
2019021848.tif 000009
【図８】
2019021848.tif 000010